(57)【特許請求の範囲】
【請求項１】
電子メモリと、
前記電子メモリにアクセスする１または複数のプロセッサと、を備え、
前記１または複数のプロセッサは、
ネットワークマネージャ（ＮＭ）から、管理オブジェクトインスタンスを作成する要求を受信し、
前記管理オブジェクトインスタンスを作成する要求の受信に応答して、前記管理オブジェクトインスタンスを作成し、前記管理オブジェクトインスタンスは少なくともユーザ定義の状態属性を有し、前記ユーザ定義の状態属性は無効化に初期設定され、
前記ＮＭから、仮想ネットワーク機能パッケージ（ＶＮＦパッケージ）の有効化に基づく前記ユーザ定義の状態属性を変更する要求を受信し、
前記ユーザ定義の状態属性を変更する要求の受信に応答して、前記ユーザ定義の状態属性を有効化の値に変更し、
仮想ネットワーク機能マネージャ（ＶＮＦＭ）から、仮想モバイル管理エンティティ（ＶＭＭＥ）のインスタンス化の成功の通知を受信し、
前記通知の受信に応答して、前記管理オブジェクトインスタンスから継承されるモバイル管理エンティティ機能オブジェクト（ＭＭＥ機能オブジェクト）を作成し、前記ＭＭＥ機能オブジェクトは、前記ＶＭＭＥのインスタンスを表し、
モバイル通信システムにおいて、複数のユーザ機器（ＵＥ）を管理すべく、前記ＶＭＭＥのインスタンスをモバイル管理エンティティ（ＭＭＥ）プールに追加し、
前記ＮＭに、管理オブジェクトの変更を通知する、要素マネージャ。
【請求項２】
前記管理オブジェクトインスタンスは、管理要素オブジェクトである、請求項１に記載の要素マネージャ。
【請求項３】
前記管理オブジェクトインスタンスは、さらに、ベンダ名属性、バージョン属性、管理要素タイプ属性および仮想ネットワーク機能（ＶＮＦ）イメージ識別情報（ＩＤ）属性を備えるように作成される、請求項１に記載の要素マネージャ。
【請求項４】
さらに、ＭＭＥプールオブジェクトのｍＭＥプールメンバリスト属性を、ＭＭＥ機能オブジェクトのドメイン名（ＤＮ）に等しくなるように設定することによって、前記管理オブジェクトインスタンスをＭＭＥプールに追加する、請求項１から３のいずれか一項に記載の要素マネージャ。
【請求項５】
さらに、前記ＭＭＥ機能オブジェクトのＭＭＥプール属性を、前記ＭＭＥプールオブジェクトの前記ＤＮに等しくなるように設定する、請求項４に記載の要素マネージャ。
【請求項６】
前記１または複数のプロセッサは、さらに、
仮想モバイル管理エンティティ（ＶＭＭＥ）によって提供されるＶＭＭＥサービスを使用停止し、
前記ＶＭＭＥをモバイル管理エンティティ（ＭＭＥ）プールから削除する、
請求項１から５のいずれか一項に記載の要素マネージャ（ＥＭ）と、
前記ＶＭＭＥを終了させ、
仮想リソースを解放する、１または複数のプロセッサを含む仮想ネットワーク機能マネージャ（ＶＮＦＭ）と、
を備える、システム。
【請求項７】
前記ＥＭは、さらに、ユーザ機器（ＵＥ）の前記ＶＭＭＥから異なるＭＭＥへの移動を要求する、請求項６に記載のシステム。
【請求項８】
前記ＥＭは、さらに、ＭＭＥプールのｍＭＥプールメンバリスト属性から、前記ＶＭＭＥのＤＮを削除することによって、前記ＭＭＥプールから前記ＶＭＭＥを削除する、請求項６または７に記載のシステム。
【請求項９】
前記ＥＭは、さらに、前記ＶＭＭＥに関連付けられたＭＭＥ機能を削除する、請求項６または７に記載のシステム。
【請求項１０】
前記ＶＭＭＥサービスの使用停止を要求し、
前記ＭＭＥプールからの前記ＶＭＭＥの削除を要求し、
前記ＶＭＭＥの終了を要求する、１または複数のプロセッサを含むネットワークマネージャ（ＮＭ）をさらに備える、請求項８に記載のシステム。
【請求項１１】
要素マネージャにより、ネットワークマネージャ（ＮＭ）から、管理オブジェクトインスタンスを作成する要求を受信する段階と、
前記管理オブジェクトインスタンスを作成する要求の受信に応答して、前記要素マネージャにより、前記管理オブジェクトインスタンスを作成する段階であり、前記管理オブジェクトインスタンスは少なくともユーザ定義の状態属性を有し、前記ユーザ定義の状態属性は無効化に初期設定される、段階と、
前記要素マネージャにより、前記ＮＭから、仮想ネットワーク機能パッケージ（ＶＮＦパッケージ）の有効化に基づく前記ユーザ定義の状態属性を変更する要求を受信する段階と、
前記ユーザ定義の状態属性を変更する要求の受信に応答して、前記要素マネージャにより、前記ユーザ定義の状態属性を有効化の値に変更する段階と、
前記要素マネージャにより、仮想ネットワーク機能マネージャ（ＶＮＦＭ）から、仮想モバイル管理エンティティ（ＶＭＭＥ）のインスタンス化の成功の通知を受信する段階と、
前記通知の受信に応答して、前記要素マネージャにより、前記管理オブジェクトインスタンスから継承されるモバイル管理エンティティ機能オブジェクト（ＭＭＥ機能オブジェクト）を作成する段階であり、前記ＭＭＥ機能オブジェクトは、前記ＶＭＭＥのインスタンスを表す、段階と、
モバイル通信システムにおいて、複数のユーザ機器（ＵＥ）を管理すべく、前記要素マネージャにより、前記ＶＭＭＥのインスタンスをモバイル管理エンティティ（ＭＭＥ）プールに追加する段階と、
前記要素マネージャにより、前記ＮＭに、管理オブジェクトの変更を通知する段階と、を備える、方法。
【発明の詳細な説明】
【技術分野】
【０００１】
［関連出願］
本願は、２０１５年７月２７日に出願された米国仮特許出願第６２／１９７，４７７号の通常出願であり、当該出願は、参照によりその全体が本明細書に組み込まれる。
【０００２】
本開示は、仮想モバイル管理エンティティの管理に関する。特に、本開示は、仮想モバイル管理エンティティのインスタンス化および終了に関する。
【背景技術】
【０００３】
モバイル管理エンティティ（ＭＭＥ）の負荷分散および再負荷分散機能は、ユーザ機器（ＵＥ）とＭＭＥとの間の接続が、ＭＭＥプールにおけるＭＭＥ間で均一に分散されるように、ＭＭＥプールに位置するＵＥが、適切なＭＭＥを対象とすることを可能とする。ＭＭＥプールにおけるＭＭＥの数は静的であるので、ネットワークに入るＵＥの数が増加するにつれ、ＭＭＥは過負荷となる可能性がある。
【図面の簡単な説明】
【０００４】
【図１】一実施形態による、仮想モバイル管理エンティティの管理のためのシステム図である。
【０００５】
【図２】一実施形態による、仮想モバイル管理エンティティの管理のためのシステム図である。
【０００６】
【図３】一実施形態による、仮想モバイル管理エンティティをインスタンス化するタイミング図である。
【０００７】
【図４】一実施形態による、仮想モバイル管理エンティティを終了させるタイミング図である。
【０００８】
【図５】一実施形態による、管理要素のブロック図である。
【０００９】
【図６】一実施形態による、管理機能のブロック図である。
【００１０】
【図７】一実施形態による、モバイル管理エンティティプールのブロック図である。
【００１１】
【図８】一実施形態による、デバイスのブロック図である。
【発明を実施するための形態】
【００１２】
無線モバイル通信技術は、様々な規格およびプロトコルを使用して、基地局と無線通信デバイスとの間でデータを送信する。無線通信システムの規格およびプロトコルとしては、例えば、第３世代パートナーシッププロジェクト（３ＧＰＰ）ロングタームエボリューション（ＬＴＥ）、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）として業界団体には一般に知られている米国電気電子学会（ＩＥＥＥ）８０２．１６規格、および業界団体には無線ローカルエリアネットワーク（ＷＬＡＮ）またはＷｉ‐Ｆｉ（登録商標）として一般に知られているＩＥＥＥ８０２．１１規格が含まれてよい。ＬＴＥシステムでの３ＧＰＰ無線アクセスネットワーク（ＲＡＮ）においては、基地局には、進化型ユニバーサル地上波無線アクセスネットワーク（Ｅ−ＵＴＲＡＮ）ノードＢ（一般に、進化型ノードＢ、エンハンスドノードＢ、ｅＮｏｄｅＢまたはｅＮＢとも表記される）および／または、ユーザ機器（ＵＥ）として知られる無線通信デバイスと通信する、Ｅ−ＵＴＲＡＮ内の無線ネットワークコントローラ（ＲＮＣ）が含まれてよい。ＬＴＥネットワークにおいて、Ｅ‐ＵＴＲＡＮは、複数のｅＮｏｄｅＢを含んでよく、複数のＵＥと通信してよい。ＬＴＥネットワークは、無線アクセステクノロジ（ＲＡＴ）および高データ速度、低レイテンシ、パケット最適化、および改善されたシステム容量およびカバレッジをもたらし得るコア無線ネットワークアーキテクチャを含む。
【００１３】
一実施形態において、仮想モバイル管理エンティティ（ＶＭＭＥ）は、ＭＭＥプール内の複数のモバイル管理エンティティ（ＭＭＥ）間で、ＵＥを負荷分散するためにインスタンス化される。また、ＶＭＭＥによって提供されるリソースが、ＭＭＥプール内のＭＭＥによってサービスされているＵＥをこれ以上サポートする必要がなくなったら、ＶＭＭＥは、終了されてよい。
【００１４】
ＶＭＭＥのインスタンス化および／または終了は、ネットワークマネージャ（ＮＭ）によって調整される。ＮＭは、要素マネージャ（ＥＭ）、仮想ネットワーク機能マネージャ（ＶＮＦＭ）、仮想インフラストラクチャマネージャ（ＶＩＭ）、ネットワーク機能仮想化オーケストレータ（ＮＦＶＯ）および／またはカタログと通信する。ＮＭ、ＥＭ、ＶＮＦＭ、ＶＩＭ、ＮＦＶＯおよびカタログについては、図３および図４と関連付けてさらに説明する。
【００１５】
以降、図面に対し参照がなされるが、図面中、同様の参照符号は、同様の要素を指す。明確さのために、参照符号の第１の桁は、対応する要素が初めて使用される図面番号を示す。以下の説明には、本明細書に開示された実施形態の完全な理解のために、多数の具体的な詳細が記載されている。しかしながら、本明細書に記載の実施形態は、当該具体的な詳細のうちの１または複数を省いても、または他の方法、コンポーネント若しくは材料と組み合わせても、実施可能であることは、当業者の認識するところである。さらに、いくつかの場合において、実施形態の態様を曖昧にすることを回避すべく、周知の構造、材料、または処理は、詳細には図示または説明されていない。さらに、記載された特徴、構造または特性は、１または複数の実施形態において、任意の好適な態様で組み合わされてよい。
【００１６】
図１は、一実施形態による、ＶＭＭＥ管理のためのシステム図である。図１は、ＭＭＥ１０２、ＶＭＭＥ１０４、複数のｅＮＢ、および複数のＵＥを含む。複数のｅＮＢは、ｅＮＢ１０６Ａ、ｅＮＢ１０６Ｂ、ｅＮＢ１０６Ｃを含み、これらは本明細書でｅＮＢ１０６と称される。複数のＵＥは、ＵＥ１０８Ａ、ＵＥ１０８Ｂ、ＵＥ１０８Ｃ、ＵＥ１０８Ｄ、ＵＥ１０８Ｅ、ＵＥ１０８Ｆ、ＵＥ１０８Ｇ、ＵＥ１０８ＨおよびＵＥ１０８Ｉを含み、これらは、本明細書でＵＥ１０８と称される。
【００１７】
図１は、ＭＭＥ１０２とＶＭＭＥ１０４との間のＵＥ１０８の負荷分散を示す。例えば、第１の時間インスタンス１１０において、ＭＭＥ１０２によって提供されるリソースは、ＵＥ１０８に対し提供されるサービスによって負担がかかる可能性がある。第２の時間インスタンス１１２において、ＭＭＥ１０２によって前にサービスされていたＵＥ１０８の一部（例えば、ＵＥ１０８Ｇ、１０８Ｈ、１０８Ｉ）は、ＶＭＭＥ１０４によってサービスされる。
【００１８】
ＵＥ１０８は、任意のタイプの通信および／またはコンピューティングデバイスを含んでよい。ＵＥ１０８の例として、電話、スマートフォン、携帯情報端末（ＰＤＡ）、タブレットコンピュータ、ノートブックコンピュータ、ウルトラブックコンピュータ等が含まれる。ＵＥ１０８は、ＵＥ１０８にインストールされた、そこで実行されている複数のアプリケーションを含んでよく、ＵＥ１０８は、Ｅ‐ＵＴＲＡＮおよび／または進化型パケットコア（ＥＰＣ）を通じて、データを周期的に通信してよい。ＵＥ１０８は、ユニバーサルモバイルテレコミュニケーションシステム（ＵＭＴＳ）、ＬＴＥ、ＬＴＥ‐アドバンスト（ＬＴＥ‐Ａ）等のような３ＧＰＰ規格を使用して通信するように構成されたデバイスを含んでよい。いくつかの実施形態において、ＵＥ１０８は、任意の他の無線通信規格に基づいて通信するように構成されたモバイル無線デバイスを含んでよい。
【００１９】
ＭＭＥ１０２は、複数の動作を実行するための専用ハードウェアおよびコンピュータ可読命令を備える。例えば、ＭＭＥ１０２は、ＥＰＣにおけるシグナリングノードであってよい。ＭＭＥ１０２は、ＵＥ１０８のページングおよび認証を開始する。ＭＭＥ１０２は、各ＵＥ１０８のトラッキングエリアレベルにおける位置情報を保持し、初期登録プロセス中に、適切なゲートウェイを選択する。ＭＭＥ１０２は、インタフェースを通して、ｅＮＢ１０６に接続する。例えば、ＭＭＥ１０２は、Ｓ１インタフェースを介して、ｅＮＢ１０６に接続してよいが、ＭＭＥ１０２とｅＮＢ１０６との間の接続を確立するために、複数の他のインタフェースが用いられてよい。ネットワーク内の増大するシグナリング負荷に対応すべく、複数のＭＭＥがプール内に共にグループ化されてよい。また、ＭＭＥ１０２は、ＭＭＥ物理ネットワーク機能（ＰＮＦ）とも称されてよく、というのは、ＭＭＥ  ＰＮＦは、専用ハードウェアを有するからである。
【００２０】
本明細書で使用されるハードウェアとは、処理リソース、メモリリソース、通信リソースおよび／またはコンピュータ可読命令を実行するために必要な他のリソースを指してよい。例えば、処理リソースは、コンピュータ可読命令を実行するための複数のプロセッサを含んでよい。
【００２１】
ｅＮＢ１０６は、送信の容量および品質を高める複数入力複数出力（ＭＩＭＯ）通信チャネルを提供するための複数のアンテナ（例えば、セクタアンテナアレイ）を含んでよい複数の基地局である。ｅＮＢ１０６は、自身のセルカバレッジエリア内で、ＵＥ１０８にユニキャスト送信を提供する。ユニキャスト送信は、ｅＮＢ１０６からＵＥ１０８へと、２または２より多いＭＩＭＯレイヤを通るものであってよい。
【００２２】
第１の時間インスタンス１１０において、ＭＭＥ１０２は、ｅＮＢ１０６Ａ、１０６Ｂ、１０６Ｃに接続される。ｅＮＢ１０６Ａは、ＵＥ１０８Ａ、１０８Ｂ、１０８Ｃに接続される。ｅＮＢ１０６Ｂは、ＵＥ１０８Ｄ、１０８Ｅ、１０８Ｆに接続される。ｅＮＢ１０６Ｃは、ＵＥ１０８Ｇ、１０８Ｈ、１０８Ｉに接続される。このため、ＭＭＥ１０２は、ＵＥ１０８Ａ、１０８Ｂ、１０８Ｃ、１０８Ｄ、１０８Ｅ、１０８Ｆ、１０８Ｇ、１０８Ｈ、１０８Ｉにサービスを提供してよい。
【００２３】
ＭＭＥ１０２によって、ＵＥ１０８に提供されるサービスが、ＭＭＥ１０２に負担をかける可能性がある。すなわち、ＭＭＥ１０２は、サービスをＵＥ１０８に効率的に提供できない可能性がある。ＭＭＥ１０２は、重要なインジケータに基づいて、サービスをＵＥに効率的に提供してよい。すなわち、重要なインジケータが、ベースライン未満に低下すると、ＭＭＥ１０２は、サービスをＵＥ１０８に提供するにあたり、非効率的であると言える。
【００２４】
ＭＭＥ１０２に対する要求を緩和すべく、ＭＭＥ１０２が属するＭＭＥプールに、新しいＭＭＥ（不図示）が、配置されてよい。しかしながら、新しいＭＭＥ  ＰＮＦを調達およびインストールすることは、悪影響を有することがある。例えば、新しいＭＭＥ  ＰＮＦの調達に関わるコストが制限されている可能性がある。新しいＭＭＥ  ＰＮＦのインストールに関わる時間によって、ＵＥ１０８が、インストール中、十分なサービスを受けられない状態にされる可能性がある。
【００２５】
新しいＭＭＥ  ＰＮＦをインストールする代わりに、ＭＭＥ１０２に対する要求を緩和すべく、ＶＭＭＥ１０４がインスタンス化されてよい。ＶＭＭＥは、モバイル管理エンティティ仮想ネットワーク機能（ＭＭＥ  ＶＮＦ）とも称されてよく、ＶＭＭＥをＭＭＥ  ＰＮＦから区別するにあたり、ＶＭＭＥは、専用ハードウェアの代わりに、汎用ハードウェアに実装されるということが強調される。すなわち、ＭＭＥ１０２に含まれるコンピュータ可読命令は、仮想環境で実装されてよく、ＶＭＭＥを構成する汎用ハードウェアで実行されてよい。
【００２６】
例えば、第２の時間インスタンス１１２において、ＭＭＥ１０２は、ｅＮＢ１０６Ａ、１０６Ｂに接続される。ＶＭＭＥ１０４は、ｅＮＢ１０６Ｃに接続される。すなわち、ＭＭＥ１０２とｅＮＢ１０６Ｃとの間の接続は、終了されてよく、ＶＭＭＥ１０４とｅＮＢ１０６Ｃとの間の接続が、確立されてよい。従って、第２の時間インスタンス１１２において、ＵＥ１０８Ｇ、１０８Ｈ、１０８Ｉは、ＭＭＥ１０２の代わりに、ＶＭＭＥ１０４からサービスを受信してよい。図３は、ＶＭＭＥ１０４のインスタンス化およびＵＥ１０８のＶＭＭＥ１０４への移行について、さらに説明する。
【００２７】
いくつかの例において、ＭＭＥ１０２およびＶＭＭＥ１０４は、同一位置に収容されてよく、または異なる位置に収容されてよい。例えば、ＭＭＥ１０２およびＶＭＭＥ１０４は、互いに直接連結されてよく、または、ＭＭＥ１０２およびＶＭＭＥ１０４は、ワールドワイドウェブを介して、互いに通信してよい。
【００２８】
図２は、一実施形態による、ＶＭＭＥ２０４の管理のためのシステム図である。図２中、ＭＭＥ２０２、ＶＭＭＥ２０４、複数のｅＮＢ２０６Ａ、２０６Ｂ、２０６Ｃ（例えば、一般にｅＮＢ２０６と称される）、および複数のＵＥ２０８Ａ、２０８Ｂ、２０８Ｃ、２０８Ｄ、２０８Ｅ、２０８Ｆ、２０８Ｇ（例えば、一般にＵＥ２０８と称される）は、図１中のＭＭＥ１０２、ＶＭＭＥ１０４、ｅＮＢ１０６Ａ、１０６Ｂ、１０６ＣおよびＵＥ１０８Ａ、１０８Ｂ、１０８Ｃ、１０８Ｄ、１０８Ｅ、１０８Ｆ、１０８Ｇと同様である。
【００２９】
図２中、ＶＭＭＥ２０４と図１中のＵＥ１０８Ｈ、１０８Ｉ間との接続は、失われている。すなわち、ＶＭＭＥ２０４は、もはや、ＵＥ１０８Ｈ、１０８Ｉにサービスを提供していない。つまり、ＭＭＥ２０２は、ＵＥ２０８にサービスを提供可能である。
【００３０】
ＶＭＭＥ２０４をアクティブな状態に維持することによって、消費されていないリソースを提供する代わりに、ＶＭＭＥ２０４は、非アクティブ化されてよい。例えば、第１の時間インスタンス２１４において、ＶＭＭＥ２０４は、ｅＮＢ２０６Ｃを介して、ＵＥ２０８Ｇにサービスを提供する。ＭＭＥ２０２は、ＵＥ２０８Ａ、２０８Ｂ、２０８Ｃ、２０８Ｄ、２０８Ｅ、２０８Ｆにサービスを提供する。ＭＭＥ２０２が、ＵＥ２０８Ａ、２０８Ｂ、２０８Ｃ、２０８Ｄ、２０８Ｅ、２０８Ｆに対し悪影響を及ぼすことなく、ＵＥ２０８Ｇにサービスを提供できるかどうかが判断されてよい。ＭＭＥ２０２が、ＵＥ２０８Ａ、２０８Ｂ、２０８Ｃ、２０８Ｄ、２０８Ｅ、２０８Ｆに対し悪影響を及ぼすことなく、ＵＥ２０８Ｇにサービスを提供できる場合、ＭＭＥ２０２は、第２の時間インスタンス２１６に反映されるように、ＵＥ２０８ＧをＭＭＥ２０２に移行させることによって、ＵＥ２０８Ｇにサービスを提供するように構成されてよい。
【００３１】
第２の時間インスタンス２１６において、ｅＮＢ２０６ＣおよびＵＥ２０８Ｇが、ＭＭＥ２０２に接続されたとき、ＶＭＭＥ２０４は、終了されてよい。ＶＭＭＥ２０４を終了させることで、ＵＥの負荷分散における柔軟性を提供してよい。また、ＶＭＭＥ２０４を終了させることで、ＶＭＭＥ２０４を実施するために必要なリソースを節約してよい。図４は、ＶＭＭＥ２０４の終了およびＵＥのＭＭＥ２０２への移行について、さらに説明する。
【００３２】
図３は、一実施形態による、仮想モバイル管理エンティティをインスタンス化するタイミング図である。図３は、図１および図２のそれぞれＶＭＭＥ１０４およびＶＭＭＥ２０４と同様のＭＭＥ  ＶＮＦ３０４を含む。図３は、また、ＥＭ３２０、ＮＭ３２２、ＶＮＦＭ３２４、ＶＩＭ３２６、ＮＦＶＯ  ３２８およびカタログ３３０を含む。図３中、ＭＭＥ  ＶＮＦ３０４のタイムラインは、他のタイムラインとは異なる位置で開始し、ＭＭＥ  ＶＮＦ３０４のインスタンス化３５０を示す。
【００３３】
ＭＭＥ  ＶＮＦ３０４、ＥＭ３２０、ＮＭ３２２、ＶＮＦＭ３２４、ＶＩＭ３２６、ＮＦＶＯ  ３２８および／またはカタログ３３０のうちの１または複数は、格納されたコンピュータ可読命令を有する少なくとも１つのコンピュータ可読記録媒体を含み、命令の実行時、命令は、本明細書に開示の処理のうちの任意のものを実施する。
【００３４】
ＮＭ３２２は、ＭＭＥおよびＭＭＥ  ＶＮＦ３０４を含むモバイル通信ネットワークを管理するためのハードウェアおよびコンピュータ可読命令を備える。ＥＭ３２０は、モバイル通信ネットワーク内の要素を管理するためのハードウェアおよびコンピュータ可読命令を備える。ＥＭ３２０によって管理される要素としては、ＭＭＥおよび／またはＭＭＥ  ＶＮＦ３０４が含まれる。ＶＮＦＭ３２４およびＶＩＭ３２６は、仮想リソースの使用を管理し、ＭＭＥ  ＶＮＦ３０４インスタンスをインスタンス化するためのハードウェアおよびコンピュータ可読命令を含む。ＮＦＶＯ  ３２８は、ＶＮＦＭ３２４および／またはＶＩＭ３２６と通信することによって、ＭＭＥ  ＶＮＦ３０４等の仮想要素のインスタンス化および終了をオーケストレーション（調整）する。カタログ３３０は、ＭＭＥ  ＶＮＦ３０４の作成に用いられてよいコンピュータ可読命令のレポジトリを含む。カタログ３３０は、データベースおよび／または異なるタイプのコンピュータ実装ストレージシステムであってよい。
【００３５】
ＭＭＥ  ＶＮＦ３０４のインスタンス化には、ＶＮＦパッケージのオンボーディング３３２、ＶＮＦパッケージのオンボーディングの確認応答３３６、管理オブジェクトインスタンスの作成３３８、ＶＮＦパッケージの有効化３４０が含まれてよい。また、ＭＭＥ  ＶＮＦ３０４のインスタンス化には、ＶＮＦパッケージフローの実行（例えば、有効化）３４２、ＶＮＦパッケージの有効化の確認応答３４４、ユーザ定義の状態属性の"有効化"への変更３４６、ＭＭＥ  ＶＮＦ３０４のインスタンス化の要求３４８、ＭＭＥ  ＶＮＦ３０４インスタンスのインスタンス化３５０、ＭＭＥ  ＶＮＦ３０４のインスタンス化の成功の通知３５２、およびＭＭＥ  ＶＮＦ３０４のインスタンス化の終了の確認応答３６０、３６２が含まれてよい。また、ＭＭＥ  ＶＮＦ３０４のインスタンス化には、ＭＭＥ機能の作成３５４、ＭＭＥプールの変更３５６、および管理オブジェクトの変更の通知３５８の提供が含まれてよい。
【００３６】
ＶＮＦパッケージのオンボーディング３３２は、カタログ３３０内にＶＮＦパッケージを含める。ＮＭ３２２は、ＶＮＦパッケージのオンボーディングを開始する。例えば、ＮＭ３２２は、ＮＦＶＯ  ３２８が、ＶＮＦパッケージをオンボーディングすることを要求する。上記の通り、ＮＭ３２２は、電子メモリ、および当該電子メモリにアクセスして、ＶＮＦパッケージのオンボーディング等の複数の動作を実行するように構成された１または複数のプロセッサを含んでよい。ＮＦＶＯ  ３２８は、カタログ３３０にアクセスし且つＶＮＦパッケージをカタログ３３０に追加することによって、ＶＮＦパッケージをオンボーディングしてよい。複数の例において、ＮＦＶＯ  ３２８は、ＶＩＭ３２６が、ＶＮＦパッケージをカタログ３３０にオンボーディングすることを要求してよい。
【００３７】
ＶＮＦパッケージのオンボーディングの確認応答３３６には、ＶＮＦパッケージのオンボーディングの成功の通知の提供および／または受信が含まれてよい。例えば、ＮＦＶＯ  ３２８は、ＶＮＦパッケージがオンボーディングされたという通知をＮＭ３２２に提供してよい。いくつかの実施形態において、ＥＭ３２０、ＮＭ３２２、ＶＮＦＭ３２４、ＶＩＭ３２６、ＮＦＶＯ  ３２８、および／またはカタログ３３０は、同一システム上および／または異なるシステム上でホストされてよい。ＥＭ３２０、ＮＭ３２２、ＶＮＦＭ３２４、ＶＩＭ３２６、ＮＦＶＯ  ３２８および／またはカタログ３３０間の通信は、システム内において、および／または、ネットワークを介して行われてよい。ネットワークは、ローカルネットワークおよび／またはワールドワイドウェブであってよい。
【００３８】
管理オブジェクトインスタンスの作成３３８には、モバイル通信システムが用いるアプリケーションプログラミングインタフェース（ＡＰＩ）から、情報オブジェクトクラス（ＩＯＣ）に基づき、管理要素オブジェクトを作成することが含まれる。管理オブジェクトインスタンスは、管理要素オブジェクトであってよい。オブジェクトとは、ソフトウェアオブジェクトを指す。ソフトウェアオブジェクトとは、変数、データ構造および／または関数を指す。例えば、オブジェクトは、変数、関数および／またはデータ構造の組み合わせであるといったように、あるクラスの特定のインスタンスを指してよい。つまり、管理オブジェクトインスタンスの作成には、管理要素オブジェクトの作成をもたらす、管理要素クラスのインスタンスの作成が含まれる。管理要素オブジェクトは、ＩＯＣを用いて作成される。管理要素クラスについては、さらに、図５中で説明する。
【００３９】
ＮＭ３２２は、ＥＭ３２０が、管理オブジェクトインスタンスを作成することを要求する。要求には、ベンダ名属性のためのベンダ名、ユーザ定義の状態属性のためのユーザ定義の状態、ソフトウェアバージョン属性のためのソフトウェアバージョン、管理要素タイプ属性のための管理要素タイプ、およびｖｎｆＩｍａｇｅＩｄ（ＶＮＦイメージＩＤ）属性のためのイメージ識別情報（ＩＤ）が含まれる。ユーザ定義の状態は、無効化に初期設定される。例えば、ＮＭ３２２は、管理オブジェクトインスタンスの作成を要求してよく、ユーザ定義の状態が無効化に設定されるように変更を要求してよい。イメージＩＤは、管理オブジェクトインスタンスを一意に識別する。管理オブジェクトインスタンスに対する管理要素タイプは、ＭＭＥである。ＥＭ３２０は、管理オブジェクトインスタンスを作成する。
【００４０】
ＶＮＦパッケージの有効化３４０には、有効化されたＶＮＦパッケージフローの実行が含まれる。ＮＭ３２２は、ＮＦＶＯ  ３２８が、ＶＮＦパッケージを有効化することを要求する。ＮＭ３２２は、作成した管理オブジェクトインスタンスのイメージＩＤを提供してよい。このため、ＮＭ３２２は、作成した管理オブジェクトインスタンスのイメージＩＤを含むＶＮＦパッケージの有効化を要求する。
【００４１】
ＮＦＶＯ  ３２８は、ＶＮＦパッケージを有効化する要求を受信する。ＮＦＶＯ  ３２８は、カタログ３３０にアクセスし且つＶＩＭ３２６を使用することによって、有効化されたＶＮＦパッケージフローを実行３４２する。
【００４２】
ＮＦＶＯ  ３２８は、ＮＭ３２２に、ＶＮＦパッケージの有効化を通知することによって、ＶＮＦパッケージの有効化を確認応答３４４する。ＮＭ３２２は、ＶＮＦパッケージの有効化の確認応答を受信する。
【００４３】
ＮＭ３２２は、ＶＮＦパッケージの有効化の確認応答３４４の受信に応答して、ユーザ定義の状態属性の"有効化"への変更３４６を要求する。
【００４４】
ＥＭ３２０は、ユーザ定義の状態属性の変更３４６のための要求を受信する。ＥＭ３２０は、管理オブジェクトインスタンスのユーザ定義の状態を有効化に変更する。
【００４５】
ＮＭ３２２は、ＭＭＥ  ＶＮＦ３０４のインスタンス化を要求３４８する。ＮＦＶＯ  ３２８は、要求３４８を受信する。ＮＦＶＯ  ３２８は、ＶＩＭ３２６が、ＭＭＥ  ＶＮＦ３０４によって必要とされる仮想リソースを作成および開始することを要求することによって、ＭＭＥ  ＶＮＦ３０４インスタンスをインスタンス化３５０する。例えば、ＮＦＶＯ  ３２８は、ＭＭＥ  ＶＮＦ３０４のインスタンス化に用いられる複数の仮想マシン（ＶＭ）の作成を要求する。ＶＩＭ３２６は、ＶＭリソースを作成および開始する。ＮＦＶＯ  ３２８は、また、ＭＭＥ  ＶＮＦ３０４に必要なネットワークリソースの作成も要求する。ＶＩＭ３２６は、ネットワークリソースを作成および開始する。ＶＮＦＭ３２４は、ＭＭＥ  ＶＮＦ３０４インスタンスの管理を担ってよい。
【００４６】
ＶＮＦＭ３２４は、ＭＭＥ  ＶＮＦ３０４インスタンスのインスタンス化３５０に応答して、ＥＭ３２０に、ＭＭＥ  ＶＮＦ３０４のインスタンス化の成功を通知３５２してよい。ＥＭ３２０は、ＭＭＥ  ＶＮＦ３０４のインスタンス化の成功の通知３５２を受信してよい。
【００４７】
ＥＭ３２０は、ＩＯＣを用いて、ＭＭＥ機能オブジェクトを作成３５４する。ＭＭＥ機能は、管理オブジェクトインスタンス（例えば、管理要素オブジェクト）の下に、名前が含まれている。すなわち、ＭＭＥ機能は、管理オブジェクトインスタンス（例えば、管理要素オブジェクト）から継承される。ＭＭＥ機能オブジェクトは、ＭＭＥ  ＶＮＦインスタンスを表わす。
【００４８】
ＥＭ３２０は、ＭＭＥ  ＶＮＦ３０４をプールに追加するように、ＭＭＥプールを変更３５６する。ＥＭ３２０は、ＭＭＥ  ＶＮＦ３０４インスタンスのドメイン名（ＤＮ）をＭＭＥプールに追加することによって、ＭＭＥ  ＶＮＦ３０４をＭＭＥプールに追加する。ＭＭＥプールの属性を変更することによって、ＤＮがＭＭＥプールに追加されてよい。ＭＭＥ機能のＤＮを含めるように、ＭＭＥプールのメンバリスト属性が変更されてよい。ＭＭＥプールのＤＮを含めるように、ＭＭＥ機能のＭＭＥプール属性が変更されてよい。
【００４９】
ＥＭ３２０は、ＮＭ３２２に、管理オブジェクトの変更を通知３５８してよい。管理オブジェクトの変更には、ＭＭＥ  ＶＮＦ３０４のＭＭＥプールへの追加およびＭＭＥプールのメンバリスト属性の変更３５６およびＭＭＥ機能のＭＭＥプール属性の変更が含まれてよい。
【００５０】
ＶＮＦＭ３２４は、ＮＦＶＯ  ３２８に通知することによって、ＭＭＥ  ＶＮＦ３０４インスタンス化の終了を確認応答３６０してよい。ＶＩＭ３２６は、ＮＭ３２２に通知することによって、ＶＮＦインスタンス化３５０の終了を確認応答３６２してよい。
【００５１】
図４は、一実施形態による、仮想モバイル管理エンティティを終了させるためのタイミング図である。図４は、ＭＭＥ  ＶＮＦ４０４、ＥＭ４２０、ＮＭ４２２、ＶＮＦＭ４２４、ＶＩＭ４２６、ＮＦＶＯ４２８およびカタログ４３０を含み、これらは、図３中のＭＭＥ  ＶＮＦ３０４、ＥＭ３２０、ＮＭ３２２、ＶＮＦＭ３２４、ＶＩＭ３２６、ＮＦＶＯ  ３２８およびカタログ３３０と同様である。図４中、ＭＭＥ  ＶＮＦ４０４のタイムラインは、他のタイムラインとは異なる位置で終了し、ＭＭＥ  ＶＮＦ４０４の終了４７０を示す。
【００５２】
ＭＭＥ  ＶＮＦ４０４の終了４７０には、ＭＭＥ  ＶＮＦ４０４インスタンスの使用停止４６０、ＭＭＥプールの変更４６４およびＭＭＥ  ＶＮＦ４０４インスタンスの終了４７０が含まれる。
【００５３】
ＮＭ４２２は、ＭＭＥ  ＶＮＦ４０４サービスの使用停止を要求４６０する。これは、例えば、ＭＭＥ  ＶＮＦ４０４のサービスがこれ以上必要でなくなったときに、行われてよい。ＥＭ４２０は、ＭＭＥ  ＶＮＦ４０４のサービスを使用停止する要求４６０を受信する。ＥＭ４２０は、ＵＥおよび／またはｅＮＢを、終了されていない他のＭＭＥおよび／またはＭＭＥ  ＶＮＦに移行させることによって、ＭＭＥ  ＶＮＦ４０４を正常に（グレースフル）使用停止してよい。正常に使用停止することには、ＭＭＥ  ＶＮＦ４０４からサービスを受信していたＵＥおよび／またはｅＮＢに悪影響を及ぼすことなく、ＭＭＥ  ＶＮＦ４０４を終了させることが含まれる。
【００５４】
ＥＭ４２０が、ＭＭＥ  ＶＮＦ４０４を使用停止すると、ＥＭ４２０は、ＭＭＥプールからＭＭＥ  ＶＮＦ４０４を削除するように、ＭＭＥプールを変更４６４してよい。ＭＭＥプールからのＭＭＥ  ＶＮＦ４０４の削除には、ＭＭＥプールのＭＭＥプールメンバリスト属性から、ＭＭＥ  ＶＮＦ４０４のＤＮを削除することが含まれる。
【００５５】
ＥＭ４２０は、サービスの使用停止の通知をＮＭ４２２に提供することによって、ＮＭ４２２に対し、サービスの使用停止を確認応答４６６する。ＮＭ４２２は、ＭＭＥ  ＶＮＦ４０４の終了を要求４６８する。ＮＦＶＯ４２８は、要求４６８を受信し、ＭＭＥ  ＶＮＦ４０４インスタンスを終了４７０させ、ＭＭＥ  ＶＮＦ４０４によって使用されていた仮想リソースを解放する。すなわち、ＮＦＶＯ４２８は、ＭＭＥ  ＶＮＦ４０４を終了させ、ＶＮＦＭ４２４およびＶＩＭ４２６と共同して、ＭＭＥ  ＶＮＦ４０４の実行に用いられるＶＭおよび／またはＭＭＥ  ＶＮＦ４０４のモバイル通信システムへの接続に用いられるネットワークリソースを解放してよい。ＮＦＶＯ４２８は、ＭＭＥ  ＶＮＦ４０４インスタンスの終了をＮＭ４２２に通知４７２する。ＮＭ４２２は、通知４７２を受信し、ＭＭＥ機能を削除する要求をＥＭ４２０に送信することによって、ＭＭＥ機能オブジェクトを削除４７４する。ＥＭ４２０は、ＭＭＥ機能を削除４７４する要求を受信し、ＭＭＥ機能を削除する。
【００５６】
図５は、一実施形態による、管理要素のブロック図である。図５は、サブネットワーククラス５８０、管理要素クラス５８１、外部ＭＭＥ機能クラス５８２、外部サービングゲートウェイ機能クラス５８３、ＥＰＤＧ機能クラス５８４、サービングゲートウェイ機能５８５、ＭＭＥ機能クラス５８６、ＰＣＲＦ機能クラス５８７およびＰＧＷ機能クラス５８８を示す。
【００５７】
示された各クラスが実装され、関連するオブジェクトが作成されてよい。例えば、ＭＭＥ機能クラス５８６が実装され、ＭＭＥ機能オブジェクトが作成されてよい。上記クラスの各々が、ＩＯＣ（例えば、＜＜情報オブジェクトクラス＞＞）内に含まれる。
【００５８】
図５は、外部ＭＭＥ機能クラス５８２、管理要素クラス５８１および外部サービングゲートウェイ機能クラス５８３は、サブネットワーククラス５８０の一部であることを示す。ＥＰＤＧ機能クラス５８４、ＭＭＥ機能クラス５８６、ＰＣＲＦ機能クラス５８７およびＰＧＷ機能クラス５８８は、管理要素クラス５８１の一部である。
【００５９】
ＭＭＥ機能クラス５８６は、ＭＭＥを表わし、ＰＣＲＦ機能クラス５８７は、ＰＣＲＦを表わし、サービングゲートウェイ機能クラス５８５は、サービスゲートウェイを表わし、ＰＧＷ機能クラス５８８は、パケットデータネットワーク（ＰＤＮ）ゲートウェイを表わす。地上公共移動通信ネットワーク（ＰＬＭＮ）（例えば、モバイル通信ネットワーク）が最初に作成されるとき、管理要素クラス５８１、ＭＭＥ機能クラス５８６、ＰＣＲＦ機能クラス５８７、サービングゲートウェイ機能クラス５８５およびＰＧＷ機能クラス５８８が作成される。例えば、上記のクラスは、手動で作成されてよい。
【００６０】
管理要素クラス５８１は、表１に示される属性を有する。
【表１】
0006634642.tif 000002
【００６１】
ベンダ名属性は、ＭＭＥ  ＶＮＦを作成するベンダの名前を表わす。ユーザ定義の状態属性は、ＶＮＦパッケージの状態（例えば、無効化、有効化、削除の保留中）を表わす。ソフトウェアバージョン属性は、ソフトウェアのバージョンを表わす。ｖｎｆＩｍａｇｅＩｄ属性は、ＶＮＦイメージのＩＤを表わす。これは、ネットワーク機能仮想化（ＮＦＶ）をサポートするために追加され、仮想ネットワークに適用可能である。
【００６２】
ＭＭＥ  ＶＮＦイメージが、データセンタ内のＮＦＶＩまたはサーバにアップロードされると、管理要素オブジェクトが作成され、ＭＭＥ  ＶＮＦイメージを記述する表１中の属性が初期化される。
【００６３】
図６は、一実施形態による、管理機能のブロック図である。図６は、管理機能クラス６９０を示す。図６は、また、外部ＭＭＥ機能クラス６８２、外部サービングゲートウェイ機能クラス６８３、ＥＰＤＧ機能クラス６８４、サービングゲートウェイ機能クラス６８５、ＭＭＥ機能クラス６８６、ＰＣＲＦ機能クラス６８７、ＰＧＷ機能クラス６８８、ＭＭＥプールエリアクラス６９１、およびＭＭＥプールクラス６９２を示し、これらは、管理機能クラス６９０に従属する。
【００６４】
表２は、管理機能クラス６９０の属性を示す。
【表２】
0006634642.tif 000003
【００６５】
ｖｎｆＩｎｓｔａｎｃｅＩｄ（ＶＮＦインスタンスＩＤ）は、ＭＭＥ  ＶＮＦインスタンスのＩＤを表わす。これは、ＮＦＶをサポートするために管理機能クラス６９０に追加されており、仮想ネットワークに適用可能である。
【００６６】
図７は、一実施形態による、ＭＭＥプールのブロック図である。図７は、サブネットワーククラス７８０、外部ＭＭＥ機能クラス７８２、ＭＭＥ機能クラス７８６、ＭＭＥプールエリアクラス７９１およびＭＭＥプールクラス７９２を示す。
【００６７】
ＭＭＥプールエリアクラス７９１、ＭＭＥプールクラス７９２、外部ＭＭＥ機能クラス７８２およびＭＭＥ機能クラス７８６は、サブネットワーククラス７８０の一部である。ＭＭＥプールクラス７９２は、ＭＭＥプールを表わす。ＭＭＥプールエリアクラス７９１は、ＭＭＥプールエリアを表わす。
【００６８】
ＭＭＥプールは、１または複数のＭＭＥおよび／またはＭＭＥ  ＶＮＦから成る。特定のＭＭＥおよび／またはＭＭＥ  ＶＮＦが、１つのＭＭＥプールのメンバであってよい。
【００６９】
ＭＭＥプールは、最大１つのＭＭＥプールエリアにサービスする。１つのＭＭＥプールが、最大１つのＭＭＥプールによってサービスされてよい。表３は、ＭＭＥプールの属性を説明する。
【表３】
0006634642.tif 000004
【００７０】
ｍＭＥプールメンバリスト属性は、ＭＭＥプールに属するＭＭＥおよび／またはＭＭＥ  ＶＮＦのリストを表わす。ｍＭＥプールメンバリストは、ＭＭＥプール内のＭＭＥおよび／またはＭＭＥ  ＶＮＦを表わすＭＭＥ機能のＤＮのリストである。
【００７１】
表４は、ＭＭＥ機能クラス７８６の属性を説明する。
【表４】
0006634642.tif 000005
【００７２】
ｍＭＥプール属性は、ＭＭＥ機能が属するＭＭＥプールを表わす。ｍＭＥプール属性は、ＭＭＥが属するＭＭＥプールのＤＮを保持する。
【００７３】
図８は、一実施形態による、デバイス８００のブロック図である。本明細書に記載の実施形態は、任意の好適に構成されたハードウェアおよび／またはソフトウェアを用いて、システムに実装されてよい。いくつかの実施形態において、デバイス８００は、ＵＥ、ｅＮＢ、ＭＭＥ、ＶＭＭＥ、ＥＭ、ＮＭ、ＶＮＦ、ＶＩＭ、ＮＦＶＯおよび／またはカタログであってよい。デバイス８００は、少なくとも図８中に示されるように共に連結された、アプリケーション回路８０２、ベースバンド回路８０４、無線周波数（ＲＦ）回路８０６、フロントエンドモジュール（ＦＥＭ）回路８０８、および／または１または複数のアンテナ８１０を含んでよい。
【００７４】
本明細書で用いられる「回路」という用語は、１または複数のソフトウェア若しくはファームウェアプログラムを実行する特定用途向け集積回路（ＡＳＩＣ）、電子回路、プロセッサ（共有、専用またはグループ）および／またはメモリ（共有、専用またはグループ）、組み合わせロジック回路、および／または説明した機能を提供する他の好適なハードウェアコンポーネントを指してよく、これらの一部であってよく、またはこれらを含んでよい。いくつかの実施形態において、回路は、１または複数のソフトウェアモジュールまたはファームウェアモジュールに実装されてよく、または当該回路に関連する機能は、１または複数のソフトウェアモジュールまたはファームウェアモジュールによって実装されてよい。いくつかの実施形態において、回路は、ハードウェアで少なくとも部分的に動作可能なロジックを含んでよい。
【００７５】
アプリケーション回路８０２は、１または複数のアプリケーションプロセッサを含んでよい。非限定的な例として、アプリケーション回路８０２は、１または複数のシングルコアプロセッサまたはマルチコアプロセッサを含んでよい。プロセッサは、汎用プロセッサおよび専用プロセッサ（例えば、グラフィックプロセッサ、アプリケーションプロセッサ等）の任意の組み合わせを含んでよい。プロセッサは、メモリ／ストレージに動作可能に連結されてよく、および／またはメモリ／ストレージを含んでよく、およびプロセッサは、様々なアプリケーションおよび／またはオペレーティングシステムがシステム上で実行できるようにするためのメモリ／ストレージ内に格納された命令を実行するように構成されてよい。
【００７６】
非限定的な例として、ベースバンド回路８０４は、１または複数のシングルコアプロセッサまたはマルチコアプロセッサを含んでよい。ベースバンド回路８０４は、１または複数のベースバンドプロセッサおよび／または制御ロジックを含んでよい。ベースバンド回路８０４は、ＲＦ回路８０６の受信信号パスから受信されるベースバンド信号を処理するように構成されてよい。ベースバンド８０４は、また、ＲＦ回路８０６の送信信号パスのためのベースバンド信号を生成するように構成されてよい。ベースバンド処理回路８０４は、ベースバンド信号の生成および処理のために、並びにＲＦ回路８０６の動作を制御するために、アプリケーション回路８０２とやり取りしてよい。
【００７７】
非限定的な例として、ベースバンド回路８０４は、第２世代（２Ｇ）ベースバンドプロセッサ８０４Ａ、第３世代（３Ｇ）ベースバンドプロセッサ８０４Ｂ、第４世代（４Ｇ）ベースバンドプロセッサ８０４Ｃ、他の既存世代、および開発中の若しくは将来開発されるべき世代（例えば、第５世代（５Ｇ）、６Ｇ等）の他のベースバンドプロセッサ８０４Ｄのうちの少なくとも１つを含んでよい。ベースバンド回路８０４（例えば、ベースバンドプロセッサ８０４Ａ〜８０４Ｄのうちの少なくとも１つ）は、ＲＦ回路８０６を介して１または複数の無線ネットワークとの通信を可能にする様々な無線制御機能を処理してよい。非限定的な例として、無線制御機能には、信号変調／復調、エンコーディング／デコーディング、無線周波数偏移、他の機能およびこれらの組み合わせが含まれてよい。いくつかの実施形態において、ベースバンド回路８０４の変調／復調回路は、高速フーリエ変換（ＦＦＴ）、プリコーディング、コンステレーションマッピング／マッピング解除機能、他の機能およびこれらの組み合わせを実行するようにプログラムされてよい。いくつかの実施形態において、ベースバンド回路８０４のエンコーディング／デコーディング回路は、コンボリューション、テールバイティングコンボリューション、ターボ、ビタビ、低密度パリティチェック（ＬＤＰＣ）エンコーダ／デコーダ機能、他の機能およびこれらの組み合わせを実行するようにプログラムされてよい。変調／復調およびエンコーダ／デコーダ機能の実施形態は、これらの例に限定はされず、他の好適な機能を含んでよい。
【００７８】
いくつかの実施形態において、ベースバンド回路８０４は、プロトコルスタックの要素を含んでよい。非限定的な例として、進化型ユニバーサル地上波無線アクセスネットワーク（ＥＵＴＲＡＮ）プロトコルの要素には、例えば、物理（ＰＨＹ）、媒体アクセス制御（ＭＡＣ）、無線リンク制御（ＲＬＣ）、パケットデータ収束プロトコル（ＰＤＣＰ）および／または無線リソース制御（ＲＲＣ）要素が含まれる。ベースバンド回路８０４の中央処理装置（ＣＰＵ）８０４Ｅは、ＰＨＹ、ＭＡＣ、ＲＬＣ、ＰＤＣＰおよび／またはＲＲＣレイヤのシグナリングのためのプロトコルスタックの要素を実行するようにプログラムされてよい。いくつかの実施形態において、ベースバンド回路８０４は、１または複数のオーディオデジタル信号プロセッサ（ＤＳＰ）８０４Ｆを含んでよい。オーディオＤＳＰ  ８０４Ｆは、圧縮／圧縮解除およびエコーキャンセルのための要素を含んでよい。オーディオＤＳＰ  ８０４Ｆは、また、他の好適な処理要素も含んでよい。
【００７９】
ベースバンド回路８０４は、メモリ／ストレージ８０４Ｇをさらに含んでよい。メモリ／ストレージ８０４Ｇは、ベースバンド回路８０４のプロセッサによって実行される動作のための格納されたデータおよび／または命令を含んでよい。いくつかの実施形態において、メモリ／ストレージ８０４Ｇは、好適な揮発性メモリおよび／または不揮発性メモリの任意の組み合わせを含んでよい。メモリ／ストレージ８０４Ｇは、また、様々なレベルのメモリ／ストレージの任意の組み合わせを含んでもよく、これらとしては、限定はされないが、埋め込みソフトウェア命令（例えば、ファームウェア）を有するリードオンリメモリ（ＲＯＭ）、ランダムアクセスメモリ（例えば、ダイナミックランダムアクセスメモリ（ＤＲＡＭ））、キャッシュ、バッファ等が含まれる。いくつかの実施形態において、メモリ／ストレージ８０４Ｇは、様々なプロセッサ間で共有されてよく、または特定のプロセッサに専用であってよい。
【００８０】
ベースバンド回路８０４のコンポーネントは、単一のチップ、単一のチップセット内で好適に組み合わされてよく、または、いくつかの実施形態において、同一回路基板上に配置されてよい。いくつかの実施形態において、ベースバンド回路８０４およびアプリケーション回路８０２の構成コンポーネントのうちの一部または全部が、例えば、システムオンチップ（ＳＯＣ）等の上に一緒に実装されてよい。
【００８１】
いくつかの実施形態において、ベースバンド回路８０４は、１または複数の無線技術と互換性のある通信を提供してよい。例えば、いくつかの実施形態において、ベースバンド回路８０４は、進化型ユニバーサル地上波無線アクセスネットワーク（ＥＵＴＲＡＮ）および／または他の無線メトロポリタンエリアネットワーク（ＷＭＡＮ）、無線ローカルエリアネットワーク（ＷＬＡＮ）、無線パーソナルエリアネットワーク（ＷＰＡＮ）との通信をサポートしてよい。ベースバンド回路８０４が、２つ以上の無線プロトコルの無線通信をサポートするように構成されている実施形態は、マルチモードベースバンド回路と称されてよい。
【００８２】
ＲＦ回路８０６は、非固体媒体を介して変調された電磁放射を使用する無線ネットワークとの通信を有効にしてよい。様々な実施形態において、ＲＦ回路８０６は、無線ネットワークとの通信を容易にするためのスイッチ、フィルタ、増幅器等を含んでよい。ＲＦ回路８０６は、受信信号パスを含んでよく、受信信号パスは、ＦＥＭ回路８０８から受信されたＲＦ信号をダウンコンバートし、ベースバンド回路８０４にベースバンド信号を提供するための回路を含んでよい。また、ＲＦ回路８０６は、送信信号パスも含んでよく、送信信号パスは、ベースバンド回路８０４によって提供されたベースバンド信号をアップコンバートし、ＲＦ出力信号を送信のためにＦＥＭ回路８０８に提供するための回路を含んでよい。
【００８３】
いくつかの実施形態において、ＲＦ回路８０６は、受信信号パスおよび送信信号パスを含んでよい。ＲＦ回路８０６の受信信号パスは、ミキサ回路８０６Ａ、増幅回路８０６Ｂ、およびフィルタ回路８０６Ｃを含んでよい。ＲＦ回路８０６の送信信号パスは、フィルタ回路８０６Ｃおよびミキサ回路８０６Ａを含んでよい。ＲＦ回路８０６は、さらに、受信信号パスおよび送信信号パスのミキサ回路８０６Ａによる使用のために周波数を合成するように構成されたシンセサイザ回路８０６Ｄも含んでよい。いくつかの実施形態において、受信信号パスのミキサ回路８０６Ａは、シンセサイザ回路８０６Ｄによって提供される合成された周波数に基づいて、ＦＥＭ回路８０８から受信されたＲＦ信号をダウンコンバートするように構成されてよい。増幅回路８０６Ｂは、ダウンコンバートされた信号を増幅するように構成されてよい。
【００８４】
フィルタ回路８０６Ｃは、ダウンコンバートされた信号から不要な信号を除去して、出力ベースバンド信号を生成するように構成されたローパスフィルタ（ＬＰＦ）またはバンドパスフィルタ（ＢＰＦ）を含んでよい。出力ベースバンド信号は、さらなる処理のためにベースバンド回路８０４に提供されてよい。いくつかの実施形態において、出力ベースバンド信号は、ゼロ周波数のベースバンド信号を含んでよいが、これは要件ではない。いくつかの実施形態において、受信信号パスのミキサ回路８０６Ａは、パッシブミキサを含んでよいが、本実施形態の範囲は、この点において限定はされない。
【００８５】
いくつかの実施形態において、送信信号パスのミキサ回路８０６Ａは、シンセサイザ回路８０６Ｄによって提供される合成された周波数に基づいて、入力ベースバンド信号をアップコンバートして、ＦＥＭ回路８０８のためのＲＦ出力信号を生成するように構成されてよい。ベースバンド信号は、ベースバンド回路８０４によって提供されてよく、フィルタ回路８０６Ｃによってフィルタリングされてよい。フィルタ回路８０６Ｃは、ローパスフィルタ（ＬＰＦ）を含んでよいが、本実施形態の範囲は、この点において限定はされない。
【００８６】
いくつかの実施形態において、受信信号パスのミキサ回路８０６Ａおよび送信信号パスのミキサ回路８０６Ａは、２または２より多いミキサを含んでよく、それぞれ直交ダウンコンバージョンおよび／または直交アップコンバージョン用に構成されてよい。いくつかの実施形態において、受信信号パスのミキサ回路８０６Ａおよび送信信号パスのミキサ回路８０６Ａは、２または２より多いミキサを含んでよく、イメージ除去（例えば、ハートレーイメージ除去）用に構成されてよい。いくつかの実施形態において、受信信号パスのミキサ回路８０６Ａおよび送信信号パスのミキサ回路８０６Ａは、それぞれダイレクトダウンコンバージョンおよび／またはダイレクトアップコンバージョン用に構成されてよい。いくつかの実施形態において、受信信号パスのミキサ回路８０６Ａおよび送信信号パスのミキサ回路８０６Ａは、スーパーヘテロダイン操作用に構成されてよい。
【００８７】
いくつかの実施形態において、出力ベースバンド信号および入力ベースバンド信号は、アナログベースバンド信号であってよいが、本実施形態の範囲は、この点において限定はされない。いくつかの代替的な実施形態においては、出力ベースバンド信号および入力ベースバンド信号は、デジタルベースバンド信号であってよい。このような実施形態においては、ＲＦ回路８０６は、アナログ‐デジタルコンバータ（ＡＤＣ）およびデジタル‐アナログコンバータ（ＤＡＣ）回路を含んでよく、ベースバンド回路８０４は、ＲＦ回路８０６と通信するためのデジタルベースバンドインタフェースを含んでよい。
【００８８】
いくつかのデュアルモードの実施形態においては、各スペクトルの信号を処理するために、別個の無線ＩＣ回路が設けられてよいが、本実施形態の範囲は、この点において限定はされない。
【００８９】
いくつかの実施形態において、シンセサイザ回路８０６Ｄは、フラクショナル‐ＮシンセサイザおよびフラクショナルＮ／Ｎ＋１シンセサイザのうちの１または複数を含んでよいが、他のタイプの周波数シンセサイザが好適であってよいように、本実施形態の範囲は、この点において限定はされない。例えば、シンセサイザ回路８０６Ｄは、デルタ‐シグマシンセサイザ、周波数逓倍器、周波数分周器を用いる位相ロックループを持つシンセサイザ、他のシンセサイザおよびこれらの組み合わせを含んでよい。
【００９０】
シンセサイザ回路８０６Ｄは、周波数入力および分周器制御入力に基づき、ＲＦ回路８０６のミキサ回路８０６Ａによる使用のために出力周波数を合成するように構成されてよい。いくつかの実施形態において、シンセサイザ回路８０６Ｄは、フラクショナルＮ／Ｎ＋１シンセサイザであってよい。
【００９１】
いくつかの実施形態において、周波数入力は、電圧制御発振器（ＶＣＯ）によって提供されてよいが、それは要件ではない。分周器制御入力は、所望の出力周波数に依り、ベースバンド回路８０４またはアプリケーションプロセッサ８０２のいずれかによって提供されてよい。いくつかの実施形態において、分周器制御入力（例えば、Ｎ）は、アプリケーションプロセッサ８０２によって示されるチャネルに基づき、ルックアップテーブルから決定されてよい。
【００９２】
ＲＦ回路８０６のシンセサイザ回路８０６Ｄは、分周器、遅延ロックループ（ＤＬＬ）、マルチプレクサおよび位相アキュムレータを含んでよい。いくつかの実施形態において、分周器は、デュアルモジュラス分周器（ＤＭＤ）を含んでよく、位相アキュムレータは、デジタル位相アキュムレータ（ＤＰＡ）を含んでよい。いくつかの実施形態において、ＤＭＤは、入力信号をＮまたはＮ＋１（例えば、キャリーアウトに基づく）のいずれかで分周して、分数分周比をもたらすように構成されてよい。いくつかの例示的な実施形態においては、ＤＬＬは、カスケードされた調整可能な遅延素子のセット、位相検出器、チャージポンプ、およびＤタイプフリップ‐フロップを含んでよい。このような実施形態において、遅延素子は、ＶＣＯ期間をＮｄの等しい位相パケットに分割するように構成されてよく、ここでＮｄは、遅延ラインの遅延素子の数である。このように、ＤＬＬは、遅延ラインによる合計遅延が１ＶＣＯサイクルであることを保証することに寄与すべく、負のフィードバックを提供してよい。
【００９３】
いくつかの実施形態において、シンセサイザ回路８０６Ｄは、出力周波数としてキャリア周波数を生成するように構成されてよい。いくつかの実施形態において、出力周波数はキャリア周波数の倍数であってよく（例えば、キャリア周波数の２倍、キャリア周波数の４倍等）、出力周波数を直交発生器および分周回路と併用して、キャリア周波数において互いに対して複数の異なる位相を持つ多重信号を生成してよい。いくつかの実施形態において、出力周波数は、ＬＯ周波数（ｆＬＯ）であってよい。いくつかの実施形態において、ＲＦ回路８０６は、ＩＱ／極座標変換器を含んでよい。
【００９４】
ＦＥＭ回路８０８は、受信信号パスを含んでよく、受信信号パスは、１または複数のアンテナ８１０から受信されたＲＦ信号を処理し、受信された信号を増幅し、受信された信号を増幅したものをＲＦ回路８０６に対しさらなる処理のために提供するように構成された回路を含んでよい。また、ＦＥＭ回路８０８は、送信信号パスも含んでよく、送信信号パスは、ＲＦ回路８０６によって提供される送信のための信号を、１または複数のアンテナ８１０のうちの少なくとも１つによる送信のために、増幅するように構成された回路を含んでよい。
【００９５】
いくつかの実施形態において、ＦＥＭ回路８０８は、送信モード処理および受信モード処理間を切り替えるように構成されたＴＸ／ＲＸスイッチを含んでよい。ＦＥＭ回路８０８は、受信信号パスおよび送信信号パスを含んでよい。ＦＥＭ回路８０８の受信信号パスは、受信されたＲＦ信号を増幅し、増幅された受信ＲＦ信号を出力（例えば、ＲＦ回路８０６への）として提供するための低雑音増幅器（ＬＮＡ）を含んでよい。ＦＥＭ回路８０８の送信信号パスは、入力ＲＦ信号（例えば、ＲＦ回路８０６によって提供された）を増幅するように構成されたパワーアンプ（ＰＡ）、および後続の送信（例えば、１または複数のアンテナ８１０のうちの１または複数による）のためにＲＦ信号を生成するように構成された１または複数のフィルタを含んでよい。
【００９６】
いくつかの実施形態において、デバイス８００は、例えば、メモリ／ストレージ、ディスプレイ、カメラ、１または複数のセンサ、入／出力（Ｉ／Ｏ）インタフェース、他の要素およびこれらの組み合わせ等の追加の要素を含んでよい。
【００９７】
いくつかの実施形態において、デバイス８００は、本明細書に記載の１または複数の処理、技術、および／または方法、あるいはそれらの一部を実行するように構成されてよい。
［例示的な実施形態］
【００９８】
例１は、電子メモリと、上記電子メモリにアクセスするように構成された１または複数のプロセッサと、を備え、
上記１または複数のプロセッサは、ネットワークマネージャ（ＮＭ）から、管理オブジェクトインスタンスを作成する要求を受信し、仮想ネットワーク機能マネージャ（ＶＮＦＭ）から、仮想モバイル管理エンティティ（ＶＭＭＥ）のインスタンス化の成功の通知を受信し、上記要求および上記通知の受信に応答して、上記管理オブジェクトインスタンスを作成し、モバイル通信システムにおいて、複数のユーザ機器（ＵＥ）を管理すべく、上記管理オブジェクトインスタンスをモバイル管理エンティティ（ＭＭＥ）プールに追加し、上記ＮＭに、上記管理オブジェクトインスタンスの上記作成を通知する、要素マネージャである。
【００９９】
例２は、例１に係る要素マネージャであり、上記管理オブジェクトインスタンスは、管理要素オブジェクトである。
【０１００】
例３は、例１に係る要素マネージャであり、上記管理オブジェクトインスタンスは、少なくともユーザ定義の状態属性、ベンダ名属性、バージョン属性、管理要素タイプ属性および仮想ネットワーク機能（ＶＮＦ）イメージ識別情報（ＩＤ）属性を備えるように作成される。
【０１０１】
例４は、例１に係る要素マネージャであり、上記属性を変更する要求を受信することに応答して、上記管理オブジェクトインスタンスの属性を変更するようにさらに構成される。
【０１０２】
例５は、例４に係る要素マネージャであり、上記ＮＭからの要求に応答して、少なくとも上記ユーザ定義の状態属性が、有効化の値に変更される。
【０１０３】
例６は、例１から４のいずれかに係る要素マネージャであり、上記管理オブジェクトインスタンスから継承されるモバイル管理エンティティＭＭＥ機能オブジェクトを作成するようにさらに構成される。
【０１０４】
例７は、例１から４のいずれかに係る要素マネージャであり、上記ＭＭＥプールオブジェクトのｍＭＥプールメンバリスト属性を、上記ＭＭＥ機能オブジェクトのドメイン名（ＤＮ）に等しくなるように設定することによって、上記管理オブジェクトインスタンスを上記ＭＭＥプールに追加するようにさらに構成される。
【０１０５】
例８は、例７に係る要素マネージャであり、上記ＭＭＥ機能オブジェクトのＭＭＥプール属性を、上記ＭＭＥプールオブジェクトの上記ＤＮに等しくなるように設定するようにさらに構成される。
【０１０６】
例９は、格納された命令を備えるコンピュータ可読記録媒体であって、上記命令は、コンピューティングデバイスによる実行時、上記コンピューティングデバイスに、仮想モバイル管理エンティティ仮想ネットワーク機能（ＭＭＥ  ＶＮＦ）のインスタンス化のための動作を実行させ、上記動作は、モバイル管理エンティティ（ＭＭＥ）リソースに対する要求に応答して、仮想ネットワーク機能（ＶＮＦ）パッケージをオンボーディングすること、上記ＶＮＦパッケージの上記オンボーディングに応答して、管理オブジェクトインスタンスを作成すること、上記管理オブジェクトインスタンスの上記作成に応答して、上記ＶＮＦパッケージの上記オンボーディングに基づいて、上記ＶＮＦパッケージを有効化すること、および上記ＶＮＦパッケージの上記有効化に応答して、上記ＶＮＦパッケージの上記有効化に基づいて、ＭＭＥ  ＶＮＦをインスタンス化すること、を含む、コンピュータ可読記録媒体である。
【０１０７】
例１０は、例９に係るコンピュータ可読媒体であり、上記ＶＮＦパッケージをオンボーディングすることは、さらに、カタログに含めるべく、上記ＶＮＦパッケージをネットワーク機能仮想化オーケストレータ（ＮＦＶＯ）に送信すること、および上記ＮＦＶＯから、上記ＶＮＦパッケージの上記オンボーディングの完了の確認応答を受信すること、を含む。
【０１０８】
例１１は、例９または１０に係るコンピュータ可読媒体であり、上記ＶＮＦパッケージを有効化することは、上記カタログにおいて、上記ＶＮＦパッケージを有効化とマークすることである。
【０１０９】
例１２は、例１１に係るコンピュータ可読媒体であり、上記ＶＮＦパッケージを有効化することは、さらに、上記ＶＮＦパッケージを有効化する要求を上記ＮＦＶＯに送信すること、および上記ＮＦＶＯから、上記ＶＮＦパッケージの有効化の確認応答を受信すること、を含む。
【０１１０】
例１３は、例９または１０に係るコンピュータ可読媒体であり、上記ＭＭＥ  ＶＮＦをインスタンス化することは、さらに、上記ＭＭＥ  ＶＮＦをインスタンス化する要求を上記ＮＦＶＯに送信すること、および上記ＮＦＶＯから、上記ＭＭＥ  ＶＮＦのインスタンス化の確認応答を受信すること、を含む。
【０１１１】
例１４は、例９または１０に係るコンピュータ可読媒体であり、上記管理オブジェクトインスタンスを作成することは、さらに、要素マネージャ（ＥＭ）に、複数の構成管理（ＣＭ）コマンドを送信することを含む。
【０１１２】
例１５は、例１４に係るコンピュータ可読媒体であり、上記ＣＭコマンドは、上記管理オブジェクトインスタンスを作成するためのコマンドと、上記作成された管理オブジェクトインスタンスの属性を変更するためのコマンドと、を含む。
【０１１３】
例１６は、仮想モバイル管理エンティティ（ＶＭＭＥ）によって提供されるＶＭＭＥサービスを使用停止し、上記ＶＭＭＥをモバイル管理エンティティ（ＭＭＥ）プールから削除するように構成された１または複数のプロセッサを含む要素マネージャ（ＥＭ）と、上記ＶＭＭＥを終了させ、上記仮想リソースを解放するように構成された１または複数のプロセッサを含む仮想ネットワーク機能マネージャ（ＶＮＦＭ）と、を備える、システムである。
【０１１４】
例１７は、例１６に係るシステムであり、上記ＥＭは、さらに、ユーザ機器（ＵＥ）の上記ＶＭＭＥから異なるＭＭＥへの移動を要求するように構成される。
【０１１５】
例１８は、例１６または１７に係るシステムであり、上記ＥＭは、さらに、ＭＭＥプールのｍＭＥプールメンバリスト属性から、上記ＶＭＭＥのＤＮを削除することによって、上記ＭＭＥプールから上記ＶＭＭＥを削除するように構成される。
【０１１６】
例１９は、例１６または１７に係るシステムであり、上記ＥＭは、さらに、上記ＶＭＭＥに関連付けられた上記ＭＭＥ機能を削除するように構成される。
【０１１７】
例２０は、例１６または１７に係るシステムであり、上記ＶＭＭＥサービスの使用停止を要求し、上記ＭＭＥプールからの上記ＶＭＭＥの削除を要求し、上記ＶＭＭＥの終了を要求するように構成された１または複数のプロセッサを含むネットワークマネージャ（ＮＭ）をさらに備える。
【０１１８】
例２１は、電子メモリと、上記電子メモリにアクセスするように構成された１または複数のプロセッサと、を備え、上記１または複数のプロセッサは、モバイル管理エンティティ（ＭＭＥ）リソースに対する要求に応答して、ネットワークマネージャ（ＮＭ）から、仮想ネットワーク機能（ＶＮＦ）パッケージをオンボーディングする要求を受信し、上記ＶＮＦパッケージをオンボーディングし、上記ＮＭから、上記ＶＮＦパッケージを有効化する要求を受信し、上記ＶＮＦパッケージを有効化し、上記ＮＭから、上記ＶＮＦパッケージをインスタンス化する要求を受信し、上記ＶＮＦパッケージをインスタンス化する、ネットワーク機能仮想化オーケストレータ（ＮＦＶＯ）である。
【０１１９】
例２２は、例２１に係るＮＦＶＯであり、上記ＮＦＶＯは、仮想インフラストラクチャマネージャ（ＶＩＭ）が、ネットワークリソースおよび仮想リソースを開始するように要求することによって、上記ＶＮＦパッケージをインスタンス化する。
【０１２０】
例２３は、仮想ネットワーク機能マネージャ（ＶＮＦＭ）から、仮想モバイル管理エンティティ（ＶＭＭＥ）のインスタンス化の成功の通知を受信する段階と、上記要求および上記通知の受信に応答して、管理オブジェクトインスタンスを作成する段階と、モバイル通信システムにおいて、複数のユーザ機器（ＵＥ）を管理すべく、上記管理オブジェクトインスタンスをモバイル管理エンティティ（ＭＭＥ）プールに追加する段階と、上記管理オブジェクトインスタンスの上記作成を上記ＮＭに通知する段階と、を備える、方法である。
【０１２１】
例２４は、例２３に係る方法であり、上記管理オブジェクトインスタンスは、管理要素オブジェクトである。
【０１２２】
例２５は、例２３に係る方法であり、上記管理オブジェクトインスタンスは、少なくともユーザ定義の状態属性、ベンダ名属性、バージョン属性、管理要素タイプ属性および仮想ネットワーク機能（ＶＮＦ）イメージ識別情報（ＩＤ）属性を備えるように作成される。
【０１２３】
例２６は、例２３に係る方法であり、上記属性を変更する要求を受信することに応答して、上記管理オブジェクトインスタンスの属性を変更する段階をさらに備える。
【０１２４】
例２７は、例２６に係る方法であり、上記ＮＭからの要求に応答して、少なくとも上記ユーザ定義の状態属性が、有効化の値に変更される。
【０１２５】
例２８は、例２３から２６のいずれかに係る方法であり、上記管理オブジェクトインスタンスから継承されるモバイル管理エンティティＭＭＥ機能オブジェクトを作成する段階をさらに備える。
【０１２６】
例２９は、例２３から２６のいずれかに係る方法であり、上記ＭＭＥプールオブジェクトのｍＭＥプールメンバリスト属性を、上記ＭＭＥ機能オブジェクトのドメイン名（ＤＮ）に等しくなるように設定することによって、上記管理オブジェクトインスタンスを上記ＭＭＥプールに追加する段階をさらに備える。
【０１２７】
例３０は、例２９に係る方法であり、上記ＭＭＥ機能オブジェクトのＭＭＥプール属性を、上記ＭＭＥプールオブジェクトの上記ＤＮに等しくなるように設定する段階をさらに備える。
【０１２８】
例３１は、モバイル管理エンティティ（ＭＭＥ）リソースに対する要求に応答して、仮想ネットワーク機能（ＶＮＦ）パッケージをオンボーディングする段階と、上記ＶＮＦパッケージの上記オンボーディングに応答して、管理オブジェクトインスタンスを作成する段階と、上記管理オブジェクトインスタンスの上記作成に応答して、上記ＶＮＦパッケージの上記オンボーディングに基づいて、上記ＶＮＦパッケージを有効化する段階と、上記ＶＮＦパッケージの上記有効化に応答して、モバイル管理エンティティ仮想ネットワーク機能（ＭＭＥ  ＶＮＦ）をインスタンス化する段階と、を備える方法である。
【０１２９】
例３２は、例３１に係る方法であり、上記ＶＮＦパッケージをオンボーディングする段階は、さらに、カタログに含めるべく、上記ＶＮＦパッケージをネットワーク機能仮想化オーケストレータ（ＮＦＶＯ）に送信する段階、および上記ＮＦＶＯから、上記ＶＮＦパッケージの上記オンボーディングの完了の確認応答を受信する段階、を含む。
【０１３０】
例３３は、例３１または３２に係る方法であり、上記ＶＮＦパッケージを有効化することは、上記カタログにおいて、上記ＶＮＦパッケージを有効化とマークすることである。
【０１３１】
例３４は、例３３に係る方法であり、上記ＶＮＦパッケージを有効化する段階は、さらに、上記ＶＮＦパッケージを有効化する要求を上記ＮＦＶＯに送信する段階、および上記ＮＦＶＯから、上記ＶＮＦパッケージの有効化の確認応答を受信する段階、を含む。
【０１３２】
例３５は、例３１または３２に係る方法であり、上記ＭＭＥ  ＶＮＦをインスタンス化する段階は、さらに、上記ＭＭＥ  ＶＮＦをインスタンス化する要求を上記ＮＦＶＯに送信する段階、および上記ＮＦＶＯから、上記ＭＭＥ  ＶＮＦのインスタンス化の確認応答を受信する段階を含む。
【０１３３】
例３６は、例３１または３２に係る方法であり、上記管理オブジェクトインスタンスを作成する段階は、さらに、要素マネージャ（ＥＭ）に、複数の構成管理（ＣＭ）コマンドを送信する段階を含む。
【０１３４】
例３７は、例３６の方法であり、上記ＣＭコマンドは、上記管理オブジェクトインスタンスを作成するためのコマンドと、上記作成された管理オブジェクトインスタンスの属性を変更するためのコマンドと、を含む。
【０１３５】
例３８は、仮想モバイル管理エンティティ（ＶＭＭＥ）によって提供されるＶＭＭＥサービスを使用停止する段階と、上記ＶＭＭＥをモバイル管理エンティティ（ＭＭＥ）プールから削除する段階と、上記ＶＭＭＥを終了させる段階と、上記仮想リソースを解放する段階と、を備える方法である。
【０１３６】
例３９は、例３８の方法であり、さらに、ユーザ機器（ＵＥ）の上記ＶＭＭＥから異なるＭＭＥへの移動を要求する段階を備える。
【０１３７】
例４０は、例３７または３８に係る方法であり、さらに、ＭＭＥプールのｍＭＥプールメンバリスト属性から、上記ＶＭＭＥのＤＮを削除することによって、上記ＭＭＥプールから上記ＶＭＭＥを削除する段階を備える。
【０１３８】
例４１は、例３７または３８に係る方法であり、さらに、上記ＶＭＭＥに関連付けられた上記ＭＭＥ機能を削除する段階を備える。
【０１３９】
例４２は、例３７または３８に係る方法であり、上記ＶＭＭＥサービスの使用停止を要求する段階と、上記ＭＭＥプールからの上記ＶＭＭＥの削除を要求する段階と、上記ＶＭＭＥの終了を要求する段階と、をさらに備える。
【０１４０】
例４３は、モバイル管理エンティティ（ＭＭＥ）リソースに対する要求に応答して、ネットワークマネージャ（ＮＭ）から、仮想ネットワーク機能（ＶＮＦ）パッケージをオンボーディングする要求を受信する段階と、上記ＶＮＦパッケージをオンボーディングする段階と、上記ＮＭから、上記ＶＮＦパッケージを有効化する要求を受信する段階と、上記ＶＮＦパッケージを有効化する段階と、上記ＮＭから、上記ＶＮＦパッケージをインスタンス化する要求を受信する段階と、上記ＶＮＦパッケージをインスタンス化する段階と、を備える方法である。
【０１４１】
例４４は、例４３に係る方法であり、上記ＶＮＦパッケージをインスタンス化する段階は、さらに、仮想インフラストラクチャマネージャ（ＶＩＭ）が、ネットワークリソースおよび仮想リソースを開始するように要求する段階を含む。
【０１４２】
例４５は、格納されたコンピュータ可読命令を備える少なくとも１つのコンピュータ可読記録媒体であって、上記命令は実行時、例２３から４４のいずれかに記載の方法を実施する。
【０１４３】
例４６は、例２３から４４のいずれかに記載の方法を実施する手段を備える装置である。
【０１４４】
様々な技術、またはそれらのうちの特定の態様若しくは部分は、フロッピー（登録商標）ディスク、ＣＤ‐ＲＯＭ、ハードドライブ、非一時的コンピュータ可読記録媒体、または任意の他の機械可読記録媒体等の有形媒体に具現化されたプログラムコード（すなわち、命令）の形態を取ってよく、プログラムコードがコンピュータ等の機械にロードされ、機械によって実行されるとき、当該機械は、当該様々な技術を実施するための装置となる。プログラム可能なコンピュータ上でのプログラムコードの実行の場合、コンピューティングデバイスは、プロセッサ、プロセッサによって読み取り可能な記録媒体（揮発性および不揮発性メモリおよび／またはストレージ素子を含む）、少なくとも１つの入力デバイス、および少なくとも１つの出力デバイスを含んでよい。揮発性および不揮発性メモリおよび／またはストレージ素子は、ＲＡＭ、ＥＰＲＯＭ、フラッシュドライブ、光ドライブ、磁気ハードドライブ、または電子データを格納するための別の媒体であってよい。ｅＮＢ（または他の基地局）およびＵＥ（または他の移動局）は、また、送受信機コンポーネント、カウンタコンポーネント、処理コンポーネントおよび／またはクロックコンポーネント若しくはタイマコンポーネントを含んでよい。本明細書に記載の様々な技術を実施または利用してよい１または複数のプログラムは、アプリケーションプログラミングインタフェース（ＡＰＩ）、再利用可能なコントロール等を使用してよい。このようなプログラムは、高水準の手続型またはオブジェクト指向型のプログラミング言語で、コンピュータシステムと通信するように実装されてよい。しかしながら、必要に応じて、プログラムは、アセンブリ言語または機械語で実装されてよい。いずれの場合であっても、言語は、コンパイル型または解釈型の言語であってよく、ハードウェア実装と組み合わされてよい。
【０１４５】
本明細書に記載の多くの機能ユニットが、１または複数のコンポーネントとして実装されてよく、コンポーネントとは、それらの実装の独立性をより具体的に強調するために用いられる用語であることを理解されたい。例えば、コンポーネントは、カスタムの超大規模集積（ＶＬＳＩ）回路またはゲートアレイを含むハードウェア回路、またはロジックチップ、トランジスタ等の既製の半導体、または他の別個のコンポーネントとして実装されてよい。また、コンポーネントは、フィールドプログラマブルゲートアレイ、プログラマブルアレイロジック、プログラマブルロジックデバイス等のようなプログラム可能なハードウェアデバイスに実装されてもよい。
【０１４６】
また、コンポーネントは、様々なタイプのプロセッサによる実行のためのソフトウェアに実装されてもよい。実行可能コードの識別されたコンポーネントは、例えば、コンピュータ命令の１または複数の物理ブロックまたは論理ブロックを含んでよく、それらは、例えば、オブジェクト、プロシージャまたは関数として編成されてよい。上記に関わらず、識別されたコンポーネントの実行可能ファイルは、物理的に一緒に配置される必要はなく、異なる場所に格納された異なる命令を含んでよく、それらが論理的に一緒に結合されると当該コンポーネントを備え、当該コンポーネントの上記目的を達成する。
【０１４７】
実際、実行可能コードのコンポーネントは、単一の命令、または多数の命令であってよく、さらには、いくつかの異なるコードセグメントにわたり、異なるプログラムにわたり、およびいくつかのメモリデバイスにわたり、分散されてもよい。同様に、処理データは、本明細書においてコンポーネント内に識別および図示されてよく、任意の好適な形態に具現化されてよく、任意の好適なタイプのデータ構造内に編成されてよい。処理データは、単一のデータセットとしてまとめられてよく、または、異なるストレージデバイスにわたることを含め、異なる場所にわたって分散されてよく、処理データは、少なくとも部分的には、システムまたはネットワーク上における単なる電子信号として存在してよい。コンポーネントは、所望の機能を実行するように動作可能なエージェントを含め、パッシブまたはアクティブであってよい。
【０１４８】
本明細書にわたる「一例」という言及は、当該一例に関連して記載された特定の特徴、構造、または特性が、少なくとも１つの実施形態に含まれることを意味する。故に、本明細書の随所に現れる「一例において」という文言は、必ずしもすべてが同一の実施形態について言及していない。
【０１４９】
本明細書で使用されるとき、複数のアイテム、構造的要素、構成要素、および／または材料が便宜上、共通の一覧に提示されることがある。しかしながら、これらの一覧は、当該一覧の各部材は、別個且つ独自の部材として個別に識別されるもののように解釈されるべきである。故に、このような一覧の個別の部材はいずれも、反対の記載がない限り、共通グループにそれが提示されていることのみに基づいて、同一の一覧の任意の他の部材の事実上の均等物であると解釈されるべきではない。また、様々な実施形態および実施例が、本明細書において、それらの様々なコンポーネントの代替例と共に言及されることがある。このような実施形態、実施例および代替例は、事実上互いの均等物であると解釈されるべきではなく、実施形態の別個且つ自律した典型例として解釈されるべきであると理解されたい。上記内容は、明確にする目的である程度具体的に記載されているが、上記内容の原理から逸脱することなく、特定の変更および修正を加え得ることは自明であろう。本明細書に記載の処理および装置の両方を実装する多くの代替的な方法が存在することに留意されたい。従って、本実施形態は、例示的であり限定的ではないものとして解釈されるべきであり、本発明は、本明細書に記載の具体例に限定されるべきではなく、添付の特許請求の範囲およびその均等範囲において、修正が可能である。
（項目１）
電子メモリと、
上記電子メモリにアクセスする１または複数のプロセッサと、を備え、
上記１または複数のプロセッサは、
ネットワークマネージャ（ＮＭ）から、管理オブジェクトインスタンスを作成する要求を受信し、
仮想ネットワーク機能マネージャ（ＶＮＦＭ）から、仮想モバイル管理エンティティ（ＶＭＭＥ）のインスタンス化の成功の通知を受信し、
上記要求および上記通知の受信に応答して、上記管理オブジェクトインスタンスを作成し、
モバイル通信システムにおいて、複数のユーザ機器（ＵＥ）を管理すべく、上記管理オブジェクトインスタンスをモバイル管理エンティティ（ＭＭＥ）プールに追加し、
上記ＮＭに、上記管理オブジェクトインスタンスの上記作成を通知する、要素マネージャ。
（項目２）
上記管理オブジェクトインスタンスは、管理要素オブジェクトである、項目１に記載の要素マネージャ。
（項目３）
上記管理オブジェクトインスタンスは、少なくともユーザ定義の状態属性、ベンダ名属性、バージョン属性、管理要素タイプ属性および仮想ネットワーク機能（ＶＮＦ）イメージ識別情報（ＩＤ）属性を備えるように作成される、項目１に記載の要素マネージャ。
（項目４）
さらに、上記属性を変更する要求を受信することに応答して、上記管理オブジェクトインスタンスの属性を変更する、項目１に記載の要素マネージャ。
（項目５）
上記ＮＭからの要求に応答して、少なくともユーザ定義の状態属性が、有効化の値に変更される、項目４に記載の要素マネージャ。
（項目６）
さらに、上記管理オブジェクトインスタンスから継承されるモバイル管理エンティティＭＭＥ機能オブジェクトを作成する、項目１から４のいずれか一項に記載の要素マネージャ。
（項目７）
さらに、ＭＭＥプールオブジェクトのｍＭＥプールメンバリスト属性を、ＭＭＥ機能オブジェクトのドメイン名（ＤＮ）に等しくなるように設定することによって、上記管理オブジェクトインスタンスをＭＭＥプールに追加する、項目１から４のいずれか一項に記載の要素マネージャ。
（項目８）
さらに、上記ＭＭＥ機能オブジェクトのＭＭＥプール属性を、上記ＭＭＥプールオブジェクトの上記ＤＮに等しくなるように設定する、項目７に記載の要素マネージャ。
（項目９）
格納された命令を備えるコンピュータ可読記録媒体であって、上記命令は、コンピューティングデバイスによる実行時、上記コンピューティングデバイスに、仮想モバイル管理エンティティ仮想ネットワーク機能（ＭＭＥ  ＶＮＦ）のインスタンス化のための動作を実行させ、上記動作は、
モバイル管理エンティティ（ＭＭＥ）リソースに対する要求に応答して、仮想ネットワーク機能（ＶＮＦ）パッケージをオンボーディングすること、
上記ＶＮＦパッケージの上記オンボーディングに応答して、管理オブジェクトインスタンスを作成すること、
上記管理オブジェクトインスタンスの上記作成に応答して、上記ＶＮＦパッケージの上記オンボーディングに基づいて、上記ＶＮＦパッケージを有効化すること、および
上記ＶＮＦパッケージの上記有効化に応答して、上記ＶＮＦパッケージの上記有効化に基づいて、ＭＭＥ  ＶＮＦをインスタンス化すること、を含む、コンピュータ可読記録媒体。
（項目１０）
上記ＶＮＦパッケージをオンボーディングすることは、さらに、
カタログに含めるべく、上記ＶＮＦパッケージをネットワーク機能仮想化オーケストレータ（ＮＦＶＯ）に送信すること、および
上記ＮＦＶＯから、上記ＶＮＦパッケージの上記オンボーディングの完了の確認応答を受信すること、を含む、項目９に記載のコンピュータ可読記録媒体。
（項目１１）
上記ＶＮＦパッケージを有効化することは、上記カタログにおいて、上記ＶＮＦパッケージを有効化とマークすることである、項目１０に記載のコンピュータ可読記録媒体。
（項目１２）
上記ＶＮＦパッケージを有効化することは、さらに、
上記ＶＮＦパッケージを有効化する要求を上記ＮＦＶＯに送信すること、および
上記ＮＦＶＯから、上記ＶＮＦパッケージの有効化の確認応答を受信すること、を含む、項目１１に記載のコンピュータ可読記録媒体。
（項目１３）
上記ＭＭＥ  ＶＮＦをインスタンス化することは、さらに、
上記ＭＭＥ  ＶＮＦをインスタンス化する要求をＮＦＶＯに送信すること、および
上記ＮＦＶＯから、上記ＭＭＥ  ＶＮＦのインスタンス化の確認応答を受信すること、を含む、項目９または１０に記載のコンピュータ可読記録媒体。
（項目１４）
上記管理オブジェクトインスタンスを作成することは、さらに、
要素マネージャ（ＥＭ）に、複数の構成管理（ＣＭ）コマンドを送信することを含む、項目９または１０に記載のコンピュータ可読記録媒体。
（項目１５）
上記ＣＭコマンドは、
上記管理オブジェクトインスタンスを作成するためのコマンドと、
上記作成された管理オブジェクトインスタンスの属性を変更するためのコマンドと、を含む、項目１４に記載のコンピュータ可読記録媒体。
（項目１６）
仮想モバイル管理エンティティ（ＶＭＭＥ）によって提供されるＶＭＭＥサービスを使用停止し、
上記ＶＭＭＥをモバイル管理エンティティ（ＭＭＥ）プールから削除する、１または複数のプロセッサを含む要素マネージャ（ＥＭ）と、
上記ＶＭＭＥを終了させ、
仮想リソースを解放する、１または複数のプロセッサを含む仮想ネットワーク機能マネージャ（ＶＮＦＭ）と、を備える、システム。
（項目１７）
上記ＥＭは、さらに、ユーザ機器（ＵＥ）の上記ＶＭＭＥから異なるＭＭＥへの移動を要求する、項目１６に記載のシステム。
（項目１８）
上記ＥＭは、さらに、ＭＭＥプールのｍＭＥプールメンバリスト属性から、上記ＶＭＭＥのＤＮを削除することによって、上記ＭＭＥプールから上記ＶＭＭＥを削除する、項目１６または１７に記載のシステム。
（項目１９）
上記ＥＭは、さらに、上記ＶＭＭＥに関連付けられたＭＭＥ機能を削除する、項目１６または１７に記載のシステム。
（項目２０）
上記ＶＭＭＥサービスの使用停止を要求し、
上記ＭＭＥプールからの上記ＶＭＭＥの削除を要求し、
上記ＶＭＭＥの終了を要求する、１または複数のプロセッサを含むネットワークマネージャ（ＮＭ）をさらに備える、項目１８に記載のシステム。
（項目２１）
電子メモリと、
上記電子メモリにアクセスする１または複数のプロセッサと、を備え、
上記１または複数のプロセッサは、
モバイル管理エンティティ（ＭＭＥ）リソースに対する要求に応答して、ネットワークマネージャ（ＮＭ）から、仮想ネットワーク機能（ＶＮＦ）パッケージをオンボーディングする要求を受信し、
上記ＶＮＦパッケージをオンボーディングし、
上記ＮＭから、上記ＶＮＦパッケージを有効化する要求を受信し、
上記ＶＮＦパッケージを有効化し、
上記ＮＭから、上記ＶＮＦパッケージをインスタンス化する要求を受信し、
上記ＶＮＦパッケージをインスタンス化する、ネットワーク機能仮想化オーケストレータ（ＮＦＶＯ）。
（項目２２）
上記ＮＦＶＯは、仮想インフラストラクチャマネージャ（ＶＩＭ）が、ネットワークリソースおよび仮想リソースを開始するように要求することによって、上記ＶＮＦパッケージをインスタンス化する、項目２１に記載のＮＦＶＯ。
（項目２３）
仮想ネットワーク機能マネージャ（ＶＮＦＭ）から、仮想モバイル管理エンティティ（ＶＭＭＥ）のインスタンス化の成功の通知を受信する段階と、
上記通知の受信に応答して、管理オブジェクトインスタンスを作成する段階と、
モバイル通信システムにおいて、複数のユーザ機器（ＵＥ）を管理すべく、上記管理オブジェクトインスタンスをモバイル管理エンティティ（ＭＭＥ）プールに追加する段階と、
上記管理オブジェクトインスタンスの上記作成をネットワークマネージャ（ＮＭ）に通知する段階と、を備える、方法。
【図１】
0006634642.tif 000006
【図２】
0006634642.tif 000007
【図３】
0006634642.tif 000008
【図４】
0006634642.tif 000009
【図５】
0006634642.tif 000010
【図６】
0006634642.tif 000011
【図７】
0006634642.tif 000012
【図８】
0006634642.tif 000013